(57)【特許請求の範囲】
【請求項１】
画像形成装置本体と、
感光体及び非接触集積回路を含み、前記画像形成装置本体に対して着脱可能に構成された画像形成部と、
前記画像形成部に備えられた前記非接触集積回路との間で無線通信を行う通信部と、
前記非接触集積回路において受信された前記通信部からの電波の受信レベルに基づいて、前記画像形成部の基準位置からの移動量を検出する移動量検出手段と、
前記移動量検出手段により検出された移動量が予め設定された閾値以上となった場合、印刷位置ずれを補正するための印刷位置調整処理を実行する実行手段と、
を有する画像形成装置。
【請求項２】
前記閾値は、前記感光体の画像形成装置本体への取り付け許容量に基づいて設定される請求項１記載の画像形成装置。
【請求項３】
画像形成装置本体と、
感光体及び非接触集積回路を含み、前記画像形成装置本体に対して着脱可能に構成された画像形成部と、
前記画像形成部に備えられた前記非接触集積回路との間で無線通信を行う通信部と、
前記非接触集積回路において受信された前記通信部からの電波の受信レベルに基づいて、前記画像形成部の基準位置からの移動量を検出する移動量検出手段と、
前記移動量検出手段により検出された移動量の積分値が予め設定された閾値以上となった場合、印刷位置ずれを補正するための印刷位置調整処理を実行する実行手段と、
を有する画像形成装置。
【請求項４】
前記通信部と前記非接触集積回路との通信状態を監視する監視手段と、
前記監視手段により前記通信部と前記非接触集積回路との間の通信が途絶したことが検出された状態で通信が開始された場合、前記画像形成部が画像形成装置本体に装着されたと判定する脱着判定手段とをさらに有し、
前記印刷位置調整処理手段は、前記脱着判定手段により前記画像形成部が画像形成装置本体に装着されたと判定された場合、印刷位置調整処理を実行する請求項１から３のいずれか１項記載の画像形成装置。
【請求項５】
前記画像形成部は前記感光体を露光するための露光装置をさらに含み、
前記露光装置は前記感光体に対して位置決めされる請求項１から４のいずれか１項記載の画像形成装置。
【請求項６】
画像形成部に設けられた非接触集積回路に対して、該非接触集積回路との間で通信を行う通信部から受信した電波の受信レベルを問い合わせるステップと、
前記非接触集積回路から返答された受信レベルに基づいて、前記画像形成部の基準位置からの移動量を検出するステップと、
検出された移動量が予め設定された閾値以上となった場合、印刷位置ずれを補正するための印刷位置調整処理を実行するステップとをコンピュータに実行させるためのプログラム。
【請求項７】
画像形成部に設けられた非接触集積回路に対して、該非接触集積回路との間で通信を行う通信部から受信した電波の受信レベルを問い合わせるステップと、
前記非接触集積回路から返答された受信レベルに基づいて、前記画像形成部の基準位置からの移動量を検出するステップと、
検出された移動量の積分値が予め設定された閾値以上となった場合、印刷位置ずれを補正するための印刷位置調整処理を実行するステップとをコンピュータに実行させるためのプログラム。
【発明の詳細な説明】
【技術分野】
【０００１】
本発明は、画像形成装置と画像形成ユニットおよびプログラムに関する。
【背景技術】
【０００２】
特許文献１には、固体識別用のＩＤ番号が記憶されたメモリを感光体ドラムやプリンタヘッドに装着しておき、感光体ドラムまたはプリンタヘッドが交換されたことを検出すると、感光体ドラムの感度レベルやプリンタヘッドの光量レベル等の各種設定を再設定するようにした画像形成装置が開示されている。
【０００３】
【特許文献１】特開２００４−３２５８９１号公報
【発明の開示】
【発明が解決しようとする課題】
【０００４】
本発明の目的は、感光体の位置ずれの発生を検出して、適切に印刷位置調整処理（レジコン（Registration Control）セットアップ処理）を実施することが可能な画像形成装置と画像形成ユニットおよびプログラムを提供することである。
【課題を解決するための手段】
【０００５】
[画像形成装置]
請求項１に係る本発明は、画像形成装置本体と、
感光体及び非接触集積回路を含み、前記画像形成装置本体に対して着脱可能に構成された画像形成部と、
前記画像形成部に備えられた前記非接触集積回路との間で無線通信を行う通信部と、
前記非接触集積回路において受信された前記通信部からの電波の受信レベルに基づいて、前記画像形成部の基準位置からの移動量を検出する移動量検出手段と、
前記移動量検出手段により検出された移動量が予め設定された閾値以上となった場合、印刷位置ずれを補正するための印刷位置調整処理を実行する実行手段とを有する画像形成装置である。
【０００６】
請求項２に係る本発明は、前記閾値が、前記感光体の画像形成装置本体への取り付け許容量に基づいて設定される請求項１記載の画像形成装置である。
【０００７】
請求項３に係る本発明は、画像形成装置本体と、
感光体及び非接触集積回路を含み、前記画像形成装置本体に対して着脱可能に構成された画像形成部と、
前記画像形成部に備えられた前記非接触集積回路との間で無線通信を行う通信部と、
前記非接触集積回路において受信された前記通信部からの電波の受信レベルに基づいて、前記画像形成部の基準位置からの移動量を検出する移動量検出手段と、
前記移動量検出手段により検出された移動量の積分値が予め設定された閾値以上となった場合、印刷位置ずれを補正するための印刷位置調整処理を実行する実行手段とを有する画像形成装置である。
【０００８】
請求項４に係る本発明は、前記通信部と前記非接触集積回路との通信状態を監視する監視手段と、
前記監視手段により前記通信部と前記非接触集積回路との間の通信が途絶したことが検出された状態で通信が開始された場合、前記画像形成部が画像形成装置本体に装着されたと判定する脱着判定手段とをさらに有し、
前記印刷位置調整処理手段は、前記脱着判定手段により前記画像形成部が画像形成装置本体に装着されたと判定された場合、印刷位置調整処理を実行する請求項１から３のいずれか１項記載の画像形成装置である。
【０００９】
請求項５に係る本発明は、前記画像形成部は前記感光体を露光するための露光装置をさらに含み、
前記露光装置は前記感光体に対して位置決めされる請求項１から４のいずれか１項記載の画像形成装置である。
【００１２】
[プログラム]
請求項６に係る本発明は、画像形成部に設けられた非接触集積回路に対して、該非接触集積回路との間で通信を行う通信部から受信した電波の受信レベルを問い合わせるステップと、
前記非接触集積回路から返答された受信レベルに基づいて、前記画像形成部の基準位置からの移動量を検出するステップと、
検出された移動量が予め設定された閾値以上となった場合、印刷位置ずれを補正するための印刷位置調整処理を実行するステップとをコンピュータに実行させるためのプログラムである。
【００１３】
請求項７に係る本発明は、画像形成部に設けられた非接触集積回路に対して、該非接触集積回路との間で通信を行う通信部から受信した電波の受信レベルを問い合わせるステップと、
前記非接触集積回路から返答された受信レベルに基づいて、前記画像形成部の基準位置からの移動量を検出するステップと、
検出された移動量の積分値が予め設定された閾値以上となった場合、印刷位置ずれを補正するための印刷位置調整処理を実行するステップとをコンピュータに実行させるためのプログラムである。
【発明の効果】
【００１４】
請求項１に係る本発明によれば、画像形成部の位置ずれの発生を検出して、本構成を有しない場合と比較して、印刷位置調整処理を適切に実施することができる画像形成装置を提供することができる。
【００１５】
請求項２に係る本発明によれば、印刷位置調整処理を実施するための移動量の閾値を適切に設定することができる画像形成装置を提供することができる。
【００１６】
請求項３に係る本発明によれば、画像形成部の位置変動の頻度が高い場合に印刷位置調整処理を実施することができる画像形成装置を提供することができる。
【００１７】
請求項４に係る本発明によれば、画像形成部が画像形成装置本体に装着されたことを検出して、本構成を有しない場合と比較して、印刷位置調整処理を適切に実施することができる画像形成装置を提供することができる。
【００１８】
請求項５に係る本発明によれば、露光装置を含む画像形成部の位置ずれの発生を検出して、本構成を有しない場合と比較して、印刷位置調整処理を適切に実施することができる画像形成装置を提供することができる。
【００２１】
請求項６に係る本発明によれば、画像形成部の位置ずれの発生を検出して、本構成を有しない場合と比較して、印刷位置調整処理を適切に実施することができるプログラムを提供することができる。
【００２２】
請求項７に係る本発明によれば、画像形成部の位置変動の頻度が高い場合に印刷位置調整処理を実施することができるプログラムを提供することができる。
【発明を実施するための最良の形態】
【００２３】
次に、本発明の実施の形態について図面を参照して詳細に説明する。
【００２４】
図１には、本発明の一実施形態に係る画像形成装置１が示されている。この画像形成装置１は、画像形成装置本体２０を有し、この画像形成装置本体２０内に中間転写ベルト４１が配置されている。この中間転写ベルト４１に対して例えば４つの画像形成ユニット（画像形成部）４０が並列配置されており、画像形成ユニット４０は、それぞれイエロー、マゼンダ、シアン、ブラックの各色のトナー像を中間転写ベルト４１上に形成する。
【００２５】
画像形成装置本体２０の下部にはシート供給装置が設けられている。シート供給装置は、シートが積載されるシート供給カセット４２と、このシート供給カセット４２に積載されたシートをピックするピックアップロール４３と、シートを捌きながら送り出すフィードロール４４とを有する。シート供給カセット４２は、図中手前方向に引き出すことができるように画像形成装置本体２０に対して着脱可能に設けられており、普通紙、ＯＨＰシート等の被転写体としてのシートが積載収納されている。
【００２６】
画像形成装置本体２０の一端付近（図中左端付近）には、シート供給路が略鉛直方向に沿って設けられている。このシート供給路には、搬送ロール４５、レジストロール４６、２次転写ロール４７、定着装置４８及び排出ロール４９が設けられている。レジストロール４６は、シート供給路へ送り出されたシートを一時停止させ、タイミングをとって２次転写ロール４７へ送る。定着装置４８は、加熱ロールと加圧ロールとからなり、加熱ロールと加圧ロールとの間を通過するシートに熱と圧力を加えることによりシートにトナー像を定着するようになっている。
【００２７】
画像形成装置本体２０の上部には、排出トレイ部５０が設けられている。前述した排出ロール４９により排出トレイ部５０へトナー像が定着されたシートが排出され、この排出トレイ部５０に積層される。
【００２８】
画像形成装置本体２０の他端側（図中右端側）には、例えば４つのトナーボトル５１が設けられている。このトナーボトル５１は、イエロー、マゼンダ、シアン、ブラックの各トナーが収容され、図示しないトナー供給路を介して画像形成ユニット４０にトナーを供給するようになっている。
【００２９】
画像形成ユニット４０は、画像形成装置本体２０に対して着脱可能に構成されており、一度下方に移動させた後、図１中における手前方向に引き出すことができるようになっている。この画像形成ユニット４０は、感光体ドラム５５と、この感光体ドラム５５を帯電するための帯電装置５４と、感光体ドラム５５上に静電潜像を形成する露光装置５３と、この露光装置５３により形成された感光体ドラム５５上の静電潜像を現像するための現像装置５２とを備えている。
【００３０】
次に、この図１中の画像形成ユニット４０の構成を図２を参照して説明する。
【００３１】
図２を参照すると、画像形成ユニット４０は、感光体ドラム５５と、この感光体ドラム５５を露光するため露光装置５３と、非接触ＩＣタグ１０とを含んでいる。図２においては、説明を簡単にするため帯電装置５４、現像装置５２の図示については省略する。
【００３２】
この露光装置５３は、例えば一方向に配列された複数のＬＥＤ（light emitting  diode：発光ダイオード）により構成され、感光体ドラム５５に対して当接するように設けられている。そのため、この露光装置５３は、感光体ドラム５５に対して位置決めされることとなる。
【００３３】
また、非接触ＩＣタグ１０は感光体ドラム５５の端部に設けられており、感光体ドラム５５の特性データ等の各種情報が格納された、いわゆるＲＦＩＤ（Radio Frequency Identification）方式の無線通信タグである。
【００３４】
次に、図２中に示した非接触ＩＣ（集積回路）タグ１０の構成を図３、図４を参照して説明する。
【００３５】
この非接触ＩＣタグ１０は、図３に示されるように、ＩＣチップ１１と、コイル状の導電性部材により構成されたアンテナ１２とから構成されている。
【００３６】
そして、このＩＣチップ１１は、図４に示されるように、変調部１４と、電源生成部１５と、復調部１６と、制御部１７と、メモリ１８とから構成されている。
【００３７】
復調部１６は、アンテナ１２により受信された信号を復調する。変調部１４は、送信しようとする情報を変調してアンテナ１２に出力する。電源生成部１５は、アンテナ１２に流れる電流を整流して電源を生成し、変調部１４、復調部１６、制御部１７に供給する。
【００３８】
制御部１７は、復調部１６により復調された信号をメモリ１８に書き込んだり、メモリ１８に格納されている情報を読み出して変調部１４に転送する等の処理を行っている。
【００３９】
非接触ＩＣタグ１０では、このような構成となっていることにより、非接触状態のままＩＣチップ１１内のメモリ１８の情報の読み出しや、メモリ１８への情報の書込みが行われる。
【００４０】
次に、画像形成装置本体２０のハードウェア構成を図５に示す。
画像形成装置本体２０は、図５に示されるように、ＣＰＵ２１、メモリ２２、ハードディスクドライブ（ＨＤＤ）等の記憶装置２３、外部のネットワークを介して外部のコンピュータなどとデータの送信及び受信を行う通信インタフェース（ＩＦ）２４、タッチパネル又は液晶ディスプレイ並びにキーボードを含むユーザインタフェース（ＵＩ）装置２５、プリントエンジン２６を有する。これらの構成要素は、制御バス２７を介して互いに接続されている。
【００４１】
ＣＰＵ２１は、メモリ２２または記憶装置２３に格納された制御プログラムに基づいて所定の処理を実行して、画像形成装置本体２０の動作を制御する。
【００４２】
図６は、上記の制御プログラムが実行されることにより実現される画像形成装置本体２０の機能構成を示すブロック図である。
【００４３】
この画像形成装置本体２０は、図６に示されるように、通信部３１と、通信監視部３２と、脱着判定部３３と、移動量検出部３４と、レジコン実行部３５と、画像出力部３６とを有している。
【００４４】
通信部３１は、画像形成ユニット４０に備えられた非接触ＩＣタグ１０との間で無線通信を行う。通信監視部３２は、通信部３１と非接触ＩＣタグ１０との間の通信状態を監視する。
【００４５】
脱着判定部３３は、通信監視部３２により非接触ＩＣタグ１０との間の通信が途絶したことが検出された場合、画像形成ユニット４０が画像形成装置本体２０から抜かれたと判定する。そして、脱着判定部３３は、通信監視部３２により非接触ＩＣタグ１０との間の通信が途絶したことが検出された状態で通信が開始された場合、画像形成ユニット４０が画像形成装置本体２０に装着されたと判定する。
【００４６】
移動量検出部３４は、非接触ＩＣタグ１０において受信された通信部３１からの電波の受信レベルに基づいて、画像形成ユニット４０の基準位置からの移動量を検出する。
【００４７】
レジコン実行部３５は、脱着判定部３３により画像形成ユニット４０が画像形成装置本体２０に装着されたと判定された場合、印刷位置ずれを補正するためのレジコンセットアップ（印刷位置調整）処理を実行する。
【００４８】
また、レジコン実行部３５は、移動量検出部３４により検出された移動量が予め設定された閾値以上となった場合、印刷位置調整処理を実行する。
【００４９】
なお、この閾値は、画像形成ユニット４０の画像形成装置本体２０への取り付け許容量に基づいて設定される。例えば、画像形成ユニット４０が、ＣＭＹＫの各色毎に設けられていて、Ｋ色の画像形成ユニット４０の取り付け許容量が、ＣＭＹ各色の画像形成ユニット４０の取り付け許容量よりも大きい場合、Ｋ色の画像形成ユニット４０に対して設定されている閾値をＣＭＹ各色の画像形成ユニット４０に対して設定されている閾値よりも大きくするようにする。
【００５０】
なお、レジコン実行部３５は、移動量が閾値以上となっただけでなく、移動量検出部３４により検出された移動量の積分値が予め設定された閾値以上となった場合、印刷位置調整処理を実行するようにしてもよい。
【００５１】
画像出力部３６は、外部の端末装置等から送信されてきた画像信号に基づいて形成された画像を印刷用紙等に出力する。また、画像出力部３６は、レジコン実行部３５によりレジコンセットアップ処理が実行されると、レジコン実行部３５の制御に基づいて印刷位置を調整するための各種動作を実行する。なお、このレジコンセットアップ処理については下記に詳述する。
【００５２】
次に、通信部３１と非接触ＩＣタグ１０との間で行われる通信手順を図７のシーケンスチャートを参照して説明する。
【００５３】
先ず、通信部３１がコネクション要求を行い（ステップＳ１０１）、非接触ＩＣタグ１０がこのコネクション要求に対して応答することにより通信が開始する（ステップＳ１０２）。
【００５４】
先ず、通信部３１は、非接触ＩＣタグ１０に対して受信レベルの問い合わせを行う（ステップＳ１０３）。すると、非接触ＩＣタグ１０は、通信部３１からの電波を受信した際の受信レベルを通信部３１に返答する（ステップＳ１０４）。
【００５５】
その後、通信部３１と非接触ＩＣタグ１０との間では、各種データ通信が行われる（ステップＳ１０５）。
【００５６】
そして、移動量検出部３４は、通信部３１により取得された受信レベル情報に基づいて、画像形成ユニット４０の基準位置からの移動量を検出する。
【００５７】
通信部３１と非接触ＩＣタグ１０との間の無線通信により得られた受信レベルと、画像形成ユニット４０の基準位置からの移動量との関係を図８に示す。この図８を参照するとわかるように、画像形成ユニット４０の位置が基準位置からずれた場合、通信部３１と非接触ＩＣタグ１０との間の距離が長くなるため、非接触ＩＣタグ１０における受信レベルは移動距離が大きくなればなるほど小さくなる。
【００５８】
そのため、画像形成ユニット４０の基準位置からの移動量が許容値を超える際の受信レベルを閾値Ｔｈ１として予め設定しておくことにより、受信レベルがこの閾値Ｔｈ１以下となった場合、レジコン実行部３５は、画像形成ユニット４０の移動量が許容値を超えたものと判定してレジコンセットアップ処理を実行することができる。
【００５９】
次に、レジコン実行部３５により実行されるレジコンセットアップ処理について説明する。
【００６０】
レジコン実行部３５は、例えば、印刷用紙６０上に図９に示すようなパターンの画像を画像出力部３６に出力させる。そして、予め規定の位置に設定されたセンサによりこの画像を検出することにより、画像が検出される間隔により印刷位置の傾きを検出することができる。
【００６１】
例えば、図１０（ａ）に示すように画像の出力位置が左方向に傾いている場合と、図１０（ｂ）に示すように画像の出力位置が右方向に傾いている場合とでは、画像が検出される間隔が変化するため、この間隔を検出することにより画像の出力位置の傾きを検出することが可能となる。
【００６２】
そして、検出された傾きを補償するような画像出力位置の調整を画像処理上で行うことにより、画像の出力位置の調整が行われる。
【００６３】
さらに、印刷用紙６０の端部から画像が最初に検出される位置までの間隔を検出することにより、印刷開始位置のずれも検出することができ、この印刷開始位置がずれている場合には印刷開始位置の調整を行うことにより、画像の出力位置の調整が行われる。
【００６４】
なお、ここでは印刷用紙６０上に特定の印刷パターンを形成することによりレジコンセットアップ処理を行う場合について説明しているが、この印刷パターンを中間転写ベルト４１上に形成し、中間転写ベルト４１上に形成された印刷パターンをセンサにより読み取るようにすれば印刷用紙を使用することがなくレジコンセットアップ処理を実行することができる。
【００６５】
次に、非接触ＩＣタグ１０と通信部３１との間の通信間隔について、図１１を参照することにより説明する。
【００６６】
通信部３１には、図６に示されるように、画像形成ユニット４０を着脱するためのカバーの開閉状態を示す開閉信号が入力されている。
【００６７】
通信部３１は、カバーが閉じられており画像形成ユニット４０が画像形成装置本体２０から取り外し不可能な場合でも、例えば５００ｍｓ程度の間隔で非接触ＩＣタグ１０との間の通信を行っている。そして、通信部３１は、カバーが開けられて画像形成ユニット４０が画像形成装置本体２０から取り外し可能な状態となった場合、非接触ＩＣタグ１０との間の通信間隔を、例えば２５０ｍｓ程度に短くする。
【００６８】
なお、非接触ＩＣタグ１０に対するデータの書込み途中に画像形成ユニット４０が画像形成装置本体２０から抜かれた場合、非接触ＩＣタグ１０内に格納されたデータが破壊される可能性がある。そのため、カバーが開けられて画像形成ユニット４０が画像形成装置本体２０から取り外し可能な状態となった場合、通信部３１は、非接触ＩＣタグ１０に対するデータの書込みを行わず、非接触ＩＣタグ１０内に格納されたデータの読み出しのみを行うようにする。
【００６９】
次に、本実施形態の画像形成装置の動作を図面を参照して詳細に説明する。
【００７０】
先ず、画像形成ユニット４０の脱着を検出してレジコンセットアップ処理を実行する場合における本実施形態の画像形成装置の動作を図１２のフローチャートを参照して説明する。
【００７１】
通信監視部３２は、非接触ＩＣタグ１０と通信部３１との間の定期的な無線通信が正常に行われていることを監視する（ステップＳ２０１）。そして、非接触ＩＣタグ１０と通信部３１との間の通信が途絶したことが通信監視部３２により検出された場合、脱着判定部３３は、画像形成ユニット４０が画像形成装置本体２０から抜かれたと判定する。
そして、通信が途絶した後においても、通信部３１は、非接触ＩＣタグ１０との間の通信を確立しようとコネクション要求の送信を継続する。そして、画像形成ユニット４０が画像形成装置本体２０に装着され、通信部３１と非接触ＩＣタグ１０との間の通信が確立すると、通信監視部３２は、通信が再開されたことを検出する（ステップＳ２０２）。すると、脱着判定部３３は、画像形成ユニット４０が画像形成装置本体２０に装着されたと判定し、レジコン実行部３５は、レジコンセットアップ処理を実行する（ステップＳ２０３）。
【００７２】
次に、本実施形態の画像形成装置において、移動量が所定の範囲よりも大きくなった場合にレジコンを実行する場合の動作を図１３のフローチャートを参照して説明する。
【００７３】
移動量検出部３４は、非接触ＩＣタグ１０と通信部３１との間で通信が行われる毎に、画像形成ユニット４０の移動量Ｍを検出する（ステップＳ３０１）。レジコン実行部３５では、移動量検出部３４により検出された移動量Ｍと予め設定されていた閾値Ｔｈ１とを比較する（ステップＳ３０２）。
【００７４】
ステップＳ３０２において移動量Ｍが閾値Ｔｈ１以上でないと判定された場合、レジコン実行部３５はレジコンを実行しないため、移動量検出部３４において周期的に移動量Ｍの検出が行われる（ステップＳ３０１）。
【００７５】
そして、ステップＳ３０２において移動量Ｍが閾値Ｔｈ１以上であると判定された場合、レジコン実行部３５は、画像出力部３６に対してレジコンを実行させる（ステップＳ３０３）。
【００７６】
次に、本実施形態の画像形成装置において、移動量の積分値（累積値）が所定の範囲よりも大きくなった場合にレジコンを実行する場合の動作を図１４のフローチャートを参照して説明する。
【００７７】
先ず、移動量の積分値Ｒを初期化する（ステップＳ４０１）。そして、この場合でも移動量検出部３４は、非接触ＩＣタグ１０と通信部３１との間で通信が行われる毎に、画像形成ユニット４０の移動量Ｍを検出する（ステップＳ４０２）。そして、移動量検出部３４により検出された移動量Ｍは、積分値Ｒに順次加算される（ステップＳ４０３）。
【００７８】
レジコン実行部３５では、この積分値Ｒと予め設定されていた閾値Ｔｈ２とを比較する（ステップＳ４０４）。
【００７９】
ステップＳ４０４において積分値Ｒが閾値Ｔｈ２以上でないと判定された場合、レジコン実行部３５はレジコンを実行しないため、移動量検出部３４において周期的に移動量Ｍの検出、および移動量Ｍの積分値Ｒへの積算が行われる（ステップＳ４０２、Ｓ４０３）。
【００８０】
そして、ステップＳ４０４において積分Ｒが閾値Ｔｈ２以上であると判定された場合、レジコン実行部３５は、画像出力部３６に対してレジコンを実行させる（ステップＳ４０５）。
【００８１】
上記実施形態では、露光装置としてＬＥＤを用いるＬＰＨ（LED Print Head）方式の画像形成装置について説明を行なうが、本発明はこれに限定されるものではなく、露光装置としてＲＯＳ（Raster Output Scanner）ユニットを用いる場合でも同様に本発明を適用することができるものである。この場合には、露光装置は画像形成ユニット内に設けられるのではなく画像形成ユニットとは独立した構成となる。
【図面の簡単な説明】
【００８２】
【図１】本発明の一実施形態の画像形成装置の構成を示す図である。
【図２】図１中の画像形成ユニット４０の構成を示す図である。
【図３】非接触ＩＣタグ１０の構成を示す図である。
【図４】ＩＣチップ１１のハードウェア構成を示す図である。
【図５】画像形成装置本体２０のハードウェア構成を示す図である。
【図６】画像形成装置本体２０の機能構成を示す図である。
【図７】通信部３１と非接触ＩＣタグ１０との間で行われる通信手順を示すシーケンスチャートである。
【図８】受信レベルと、画像形成ユニット４０の移動量との関係を示す図である。
【図９】レジコンセットアップ処理を行う際に使用する印刷パターンの一例を示す図である。
【図１０】画像の出力位置が傾いている場合の印刷パターンの一例を示す図である。
【図１１】非接触ＩＣタグ１０と通信部３１との間の通信間隔を説明するための図である。
【図１２】本発明の一実施形態の画像形成装置において、画像形成ユニット４０の脱着を検出してレジコンセットアップ処理を実行する場合の動作を示すフローチャートである。
【図１３】本発明の一実施形態の画像形成装置において、移動量が所定の範囲よりも大きくなった場合にレジコンを実行する場合の動作を示すフローチャートである。
【図１４】本発明の一実施形態の画像形成装置において、移動量の積分値（累積値）が所定の範囲よりも大きくなった場合にレジコンを実行する場合の動作を示すフローチャートである。
【符号の説明】
【００８３】
１    画像形成装置
１０    非接触ＩＣタグ
１１    ＩＣチップ
１２    アンテナ
１４    変調部
１５    電源生成部
１６    復調部
１７    制御部
１８    メモリ
２１    ＣＰＵ
２２    メモリ
２３    記憶装置
２４    通信インタフェース（ＩＦ）
２５    ユーザインタフェース（ＵＩ）装置
２６    プリントエンジン
２７    制御バス
３１    通信部
３２    通信監視部
３３    脱着判定部
３４    移動量検出部
３５    レジコン実行部
３６    画像出力部
４０    画像形成ユニット
４１    中間転写ベルト
４２    シート供給カセット
４３    ピックアップロール
４４    フィードロール
４５    搬送ロール
４６    レジストロール
４７    ２次転写ロール
４８    定着装置
４９    排出ロール
５０    排出トレイ部
５１    トナーボトル
５２    現像装置
５３    露光装置
５４    帯電装置
５５    感光体ドラム
６０    印刷用紙
Ｓ１０１〜Ｓ１０５    ステップ
Ｓ２０１〜Ｓ２０３    ステップ
Ｓ３０１〜Ｓ３０３    ステップ
Ｓ４０１〜Ｓ４０５    ステップ
【図１】
0005131583.tif 000002
【図２】
0005131583.tif 000003
【図３】
0005131583.tif 000004
【図４】
0005131583.tif 000005
【図５】
0005131583.tif 000006
【図６】
0005131583.tif 000007
【図７】
0005131583.tif 000008
【図８】
0005131583.tif 000009
【図９】
0005131583.tif 000010
【図１０】
0005131583.tif 000011
【図１１】
0005131583.tif 000012
【図１２】
0005131583.tif 000013
【図１３】
0005131583.tif 000014
【図１４】
0005131583.tif 000015